(57)【要約】【課題】濡れた紙幣が現金投入口に投入された場合でも、濡れた紙幣による障害の発生を軽減し、濡れた紙幣でも取り引きが可能な紙幣取引処理装置を提供する。【解決手段】現金投入口に投入された紙幣の濡れ状態を監視する手段（例えば湿度測定器）、当該濡れ状態に応じて紙幣を乾燥する手段（例えば、乾燥機／コンプレッサ）、及び／または紙幣を搬送する経路において、紙幣の湿気を吸水、吸着する手段（例えば高吸水性樹脂を含む吸水ユニット）を有する。【選択図】図１
2015060517.tif 000002
【特許請求の範囲】
【請求項１】
紙幣投入部、紙幣搬送部、紙幣収納部、制御部を有する紙幣取引処理装置において、
前記紙幣投入部に投入された紙幣の濡れ状態を検知する検知手段と、前記紙幣投入部の紙幣を乾燥する乾燥手段と、を備え、
前記制御部は、
前記検知手段の出力を受け、前記紙幣が濡れていると判定したとき、前記乾燥手段に対して、前記紙幣投入部の紙幣に対して送風を送り込み、当該紙幣を乾燥するように制御する
ことを特徴とする紙幣取引処理装置。
【請求項２】
請求項１に記載の紙幣取引処理装置であって、
前記検知手段は、湿度測定器からなり、前記乾燥手段は、コンプレッサからなることを特徴とする紙幣取引処理装置。
【請求項３】
紙幣投入部、紙幣搬送部、紙幣収納部、制御部を有する紙幣取引処理装置において、
前記紙幣搬送部の紙幣搬送経路に紙幣の水分を吸水する吸水ユニットを設け、
前記制御部は、
紙幣投入部に濡れた紙幣が投入され、前記紙幣搬送部により搬送されたとき、前記吸水ユニットをもって濡れた紙幣の水分を吸水するように制御する
ことを特徴とする紙幣取引処理装置。
【請求項４】
請求項３に記載の紙幣取引処理装置であって、
前記吸水ユニットは、紙幣に接触し、当該紙幣の水分を吸水する高吸水ポリマー部材からなることを特徴とする紙幣取引処理装置。
【請求項５】
紙幣投入部、紙幣搬送部、紙幣収納部、制御部を有する紙幣取引処理装置において、前記紙幣投入部に投入された紙幣の濡れ状態を検知する検知手段と、前記紙幣投入部の紙幣を乾燥する乾燥手段と、前記紙幣搬送部の紙幣搬送経路に紙幣の水分を吸水する吸水手段を備え、
前記制御部は、
前記検知手段の出力を受け、前記紙幣が濡れていると判定したとき、前記乾燥手段に対して、前記紙幣投入部の紙幣に対して送風を送り込み、当該紙幣を乾燥するように制御し、
また、紙幣投入部に濡れた紙幣が投入され、前記紙幣搬送部により搬送されたとき、前記吸水ユニットをもって濡れた紙幣の水分を吸水するように制御する
ことを特徴とする紙幣取引処理装置。
【発明の詳細な説明】
【技術分野】
【０００１】
本発明は、金融機関や交通機関などに設置され、自動預金や自動発券時に取り引きされる現金（紙幣）の入出金などを行う、例えばＡＴＭなどの紙幣取引処理装置に関する。
【背景技術】
【０００２】
紙幣取引処理装置は、例えば、金融機関において、自動預金や現金振込みを行う場合、お札（以下、金券などを含め紙幣と称する）などの現金を現金投入口に挿入したとき、当該紙幣を所定の搬送路を介して紙幣収納庫まで搬送する紙幣搬送機構を備えている。
係る紙幣取引処理装置として、例えば特開２０１２−２７６９３号公報がある。
【先行技術文献】
【特許文献】
【０００３】
【特許文献１】特開２０１２−２７６９３号公報
【発明の概要】
【発明が解決しようとする課題】
【０００４】
前記特許文献１には、紙幣取引処理装置において、紙幣搬送部による紙幣の紙幣収納庫までへの搬送機構が記載されている。
しかし、前記特許文献１の紙幣取引処理装置は、下記した点については特に考慮されていない。
【０００５】
すなわち、取り引きする紙幣に異常がない場合、特に問題がないが、雨天などの日に利用者が濡れた紙幣を投入した場合、紙幣を有効に搬送することができないなどの支障をきたす事象が発生する。場合によっては、紙幣取引装置の故障につながり、その間、紙幣取引処理装置が使用できなくなる問題がある。
【０００６】
要するに、従来にあって、金融ＡＴＭ、自動発券機で雨の日等に利用者が濡れた紙幣が利用されたとき、取り引き障害となる事象が発生していた。
【０００７】
その障害の要因としては次のようなことが考えられる。
（１）紙幣を正常に搬送できず、正確に認識できない。
（２）紙幣に付着した水滴などがＡＴＭ本体の中に入ってＡＴＭ本体に装備された各機械が故障する。
【０００８】
そこで、本発明は、例えば、濡れた紙幣が現金投入口に投入された場合でも、濡れた紙幣による障害の発生を軽減し、濡れた紙幣でも取り引きが可能な紙幣取引処理装置を提供する。
【課題を解決するための手段】
【０００９】
上記課題を解決するために、本発明は、現金投入口に投入された紙幣の濡れ状態を監視する手段（例えば湿度測定器）、当該濡れ状態に応じて紙幣を乾燥する手段（例えば、乾燥機／コンプレッサ）、及び／または紙幣を搬送する経路において、紙幣の湿気を吸水、吸着する手段（例えば高吸水性樹脂を含む吸水ユニット）を有する。
【発明の効果】
【００１０】
本発明によれば、濡れた紙幣が現金投入口に投入された場合でも、紙幣を誤りなく認識することができ、また現金投入部（紙幣投入ホッパー）から紙幣収納庫まで搬送することが可能な紙幣取引処理装置を提供することができる。
上記した以外の課題、構成及び効果は、以下の実施形態の説明により明らかにされる。
【図面の簡単な説明】
【００１１】
【図１】本発明の紙幣取引処理装置の紙幣搬送機構の概略構成を示す図である。
【図２】図１の紙幣受付口、受付口蓋を含む紙幣受付部を拡大して示す図である。
【図３】図１の紙幣搬送機構における吸水ユニットの一例を拡大して示す図である。
【図４】図３の紙幣搬送機構の紙幣ガイド板の一構成例を示す図である。
【図５】図３の紙幣ガイド板と高分子吸水性部材との一例を示す断面図である。
【図６】本願発明の制御部の一例を示すフローチャートである。
【図７】本願発明の制御部の他の例を示すフローチャートである。
【図８】本願発明の制御部の他の例を示すフローチャートである。
【発明を実施するための形態】
【００１２】
以下、実施例を図面を用いて説明する。本実施例では、紙幣取引処理装置として、金融機関に設置されるＡＴＭを例に説明する。
【実施例】
【００１３】
図１は本発明の紙幣取引処理装置の紙幣搬送機構の概略構成を示す図である。
同図において、ＡＴＭ１のＡＴＭ本体には、紙幣受付口・搬送機構を有する。紙幣受付口・搬送機構は、紙幣受付部１１、紙幣搬送部１２、紙幣収納部１３、紙幣読取部１４、紙幣処理機構１５、制御部１６、などを有する。なお、本発明の説明を容易とするため、本発明に直接関与していない機構や装置などは省略する。
【００１４】
紙幣受付部１１は、紙幣が投入される紙幣投入ホッパー１１１を有する。当該ホッパーは紙幣を投入する投入口を含む部分１１１１と、紙幣投入口を閉じたり、開いたりする開閉蓋１１１２を有する。また、ホッパー１１１の紙幣投入部分１１１１には、紙幣２０の濡れ状態を検知する紙幣濡れ状態検知部３０、例えば湿度測定器３０１、を設けてある。
乾燥させる技術としては前述した熱を利用、または送風による乾燥などが考えられるが、ＡＴＭなどの金券処理器で使用する場合、熱がこもったり、送風でほこりが舞ったりして障害の要因とならないように工夫するとよい。
【００１５】
また、本例では、紙幣２０の濡れ状態を検知する手段として、湿度測定器３０１を用いているが、これに限定する必要はなく、例えば、紙幣の濡れ読み取り方式の事例として、紙幣を撮影するカメラや紙幣の重量、サイズなどを計測する計測器などを用いてもよく、またこれらを複合的に用いてもよい。カメラを利用して紙幣をチェックする場合は、ＣＩＳセンサー機能を用いたカメラなどで紙幣の歪み（しわ）をチェックする。重さチェックする場合は、紙幣が約１ｇなので重量で水分を吸っているかどうかをチェックする。湿度チェックする場合は、紙幣そのものの湿度をチェックするか、紙幣を投入した紙幣受付口１１の湿度状態をチェックする。サイズチェックする場合は、お札は天然繊維を原料とした用紙を使用しているため、水分を吸うとわずかに縮むことに鑑み、この縮み具合をチェックする。このチェックは、カメラチェック機能を利用してもよい。
【００１６】
紙幣搬送部１２は、開閉蓋１１１２を閉じたとき、紙幣受付部１１の紙幣投入部分に投入された紙幣２０を引き出し、所定の搬送路１２３を介して紙幣収納部１３の紙幣収納庫１３１まで搬送する。そして、搬送路１２２には、紙幣２０をガイドする一対のガイド部材（紙幣ガイド板）１２１が配置されている。また、紙幣ガイド板１２１のガイド面には、吸水ユニット４０が配置してある。吸水ユニット４０については後述する。
【００１７】
紙幣読取部１４は、紙幣搬送部１２により搬送された紙幣が紙幣通過センサ１４１を通過したことを検知したとき、当該紙幣２０を読み取る。紙幣処理機構１５は、紙幣読取部１４にて読み取られた紙幣に関する所望の処理を行う。制御部１６は、各機構、各部を制御するものであって、例えば、湿度測定器３０１をもって紙幣２０の濡れ状態を検知したとき、それを受けて後述する紙幣乾燥機を制御し、また開閉蓋１１１２を閉じたとき、それを受けて紙幣２０を搬送する紙幣搬送部１２を制御する。
【００１８】
図２は、図１の紙幣受付口、受付口蓋を含む紙幣受付部を拡大して示す図である。
同図において、紙幣投入部１１１１の側部には、紙幣２０を乾燥するための紙幣乾燥機５０、例えばコンプレッサが配置されている。このコンプレッサは、湿度測定器３０１が基準値の値を越えた場合、制御部１６にて制御され、紙幣投入部１１１１に風を所定時間送り込み、当該紙幣投入部に投入された紙幣２０を乾燥するものである。この時間は、ユーザに不快感を与えない程度の短い時間、例えば７秒以下の数秒とする。
【００１９】
図３は、図１の紙幣搬送機構における吸水ユニットの一例を拡大して示す図である。
同図において、水分除去部（吸水ユニット）４０は、例えば、高分子吸水樹脂である高分子吸水ポリマー部材４０１（三洋化成ニュース  ２０１２  初夏Ｎｏ．４７２  http://www.sanyo-chemical.co.jp/tech_info/pdf/jpn/pk97.pdf  参照）を利用する。
【００２０】
高分子吸水ポリマー部材は脱水不可のため、使い捨てとする。そのため、例えば、形状はトイレットペーパーのようなロール状を採用し、巻き取り構造とする。高分子吸水ポリマー部材４０１の巻き取りは、例えば、制御部１５が紙幣濡れ状態検知部３０の検知出力を受けて、モータ４０３を介して吸水ユニット４０の巻き取り部４０２を駆動するようにする。
【００２１】
吸水できる水分量は自重の１００〜１０００倍、生理食塩水なら２０〜６０倍程度であることが知られている。
【００２２】
紙幣の場合、重量は１ｇ程度なので、ポリマー部材は０．１ｇ程度の重さで十分と考える（水分１０ｇ〜１００ｇまで吸収可能）。ポリマー部材は定期点検時に交換するなどして対応する。
【００２３】
係る吸水ユニットはペットシートなどにも使用されている吸水ポリマーを使用するため、安価である。また、水を吸収するだけなので障害発生率も低いと考えられる。
【００２４】
本例では、ロール状にした高分子吸水ポリマー部材４０１をカセット筐体内に配置し、当該部材を巻き取り構造しているが、当該部材をもって紙幣２０をガイドするガイド部材としてもよい。つまり、紙幣ガイド板１２１に兼用してもよい。
【００２５】
図４は、図３の紙幣搬送機構の紙幣ガイド板の一構成例を示す図である。
同図において、紙幣ガイド板１２１は、ガイド面１２１１、を有する。ガイド面１２１１には、複数の微細な穴１２１２を形成する。この穴は  紙幣２０がガイド板１２１のガイド面に沿って搬送されるとき、紙幣の水分（水滴など）を搬送高分子吸水ポリマー部材４０１にて吸水しやすいように形成したものである。
【００２６】
図５は、図３の紙幣ガイド板と高分子吸水部材との一例を示す断面図である。
同図において、吸水ユニット４０には、ガイド面１２１１の穴１２１２を介して紙幣２０の水分を吸水しやすいように高分子吸水ポリマー部材４０１を紙幣ガイド板１２１に圧接するように構成したものであるが、係る構成に捉われる必要はなく、紙幣２０の水分を吸水可能な構成とすればよい。
【００２７】
図６は、本願発明の制御部の一例を示すフローチャートである。
同図において、制御部１６は、紙幣投入時に以下のような制御を行う。まず、ステップＳ６０１にて紙幣濡れ状態検知部３０の出力を受け、紙幣投入部分の湿度が予め設定した基準値以上か否かを判断し、紙幣の濡れ状態を検知する。基準値以上の場合（Ｙ）、紙幣が濡れている、又は湿気を帯びていると判断し、次のステップＳ６０２にて、紙幣乾燥機５０を制御し、紙幣に送風を送り込むなどして紙幣を乾燥する処理を行う。しかるのち、ステップＳ６０３にて、搬送された紙幣２０を読み取り、ステップＳ６０４にて所望の紙幣処理を行う。
【００２８】
図７は、本願発明の制御部の他の例を示すフローチャートである。
同図において、ステップＳ７０１にて紙幣濡れ状態検知部３０の出力を受け、紙幣投入部分の湿度が予め設定した基準値以上か否かを判断し、紙幣の濡れ状態を検知する。基準値以上の場合（Ｙ）、紙幣が濡れている、又は湿気を帯びていると判断し、次のステップＳ７０２にて、水分除去部４０を制御し、紙幣２０に付着した水分を除去（軽減）する処理を行う。しかるのち、ステップＳ７０３にて、搬送された紙幣２０を読み取り、ステップＳ７０４にて所望の紙幣処理を行う。
【００２９】
ここで、ステップＳ７０１の処理は必要に応じて行えばよく、必ずしも必要とするものではない。例えば、吸水ユニット４０を固定して設置し、必要に応じて人で取り替える構成とした場合などである。
【００３０】
図８は、本願発明の制御部の他の例を示すフローチャートである。本例は、図６の処理と図７の処理をシリーズに行うものである。すなわち、ステップ８０２にて図６に示す紙幣乾燥処理（ステップＳ８０２１）及び吸水処理（ステップＳ８０２２）を行う。その他は図６、図７と同一であるので、その説明は省略する。
【００３１】
以上述べたように、本実施例では、濡れた紙幣を投入する際、水滴が機械の中に入らないようにしたものである。
係る実施例によれば、濡れた紙幣を取り扱う場合、紙幣の濡れ状態検知することで、障害の発生を未然に防ぎ、濡れた紙幣でも取引を可能にすることができるようになる。
また、濡れた紙幣を利用者が投入することで、従来ＡＴＭの障害の要因の一つとなっていたが、改善後は濡れた紙幣によって発生しうる障害を抑止できるようになる。それに伴って、ＡＴＭダウン時間減少にもつながり、ＣＳ改善の効果も期待できる。
【００３２】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３３】
１  紙幣取引処理装置
１０  ＡＴＭ本体
１１  紙幣受付・搬送機構
１２  紙幣搬送部
１３  紙幣収納部
１４  紙幣読取部
１５  紙幣処理機構
１６  制御部
２０  紙幣
３０  紙幣濡れ状態検知部
４０  吸水ユニット
５０  紙幣乾燥機
【図１】
2015060517.tif 000003
【図２】
2015060517.tif 000004
【図３】
2015060517.tif 000005
【図５】
2015060517.tif 000006
【図６】
2015060517.tif 000007
【図７】
2015060517.tif 000008
【図８】
2015060517.tif 000009
【図４】
2015060517.tif 000010